(57)【特許請求の範囲】
【請求項１】
両端部にそれぞれ閉鎖用のフラップが設けられたひだ付き筒状体の一端部を口部とし、他端部を将来の開封口となるように閉鎖して底部閉鎖部としたひだ付き紙袋において、
前記底部閉鎖部を開いて内容物を取り出した後の前記ひだ付き紙袋の再使用時にその開封口を閉鎖するため、当該開封口となる前記ひだ付き筒状体の前記他端部に、接着剤を要素とする再封緘手段が予め設けられ、
前記再封緘手段を設けた前記ひだ付き筒状体の前記他端部を少なくとも２回以上折り曲げ、この折曲げ部を開封用テープ付きの当て紙で包囲固定して前記底部閉鎖部を形成する際には、前記再封緘手段を構成する前記接着剤が非接着状態とされ、前記ひだ付き紙袋の再使用時には、前記開封口から内容物を充填した後に前記再封緘手段を構成する前記接着剤を接着可能な状態にし、前記開封口端部を折り曲げて前記ひだ付き筒状体の壁面に貼り付けて再封緘するひだ付き紙袋であり、
前記再封緘手段を構成する前記接着剤とは別に、前記開封用テープ付きの当て紙を前記ひだ付き筒状体の壁面に接着する接着剤が設けられていることを特徴とする再使用可能なひだ付き紙袋。
【請求項２】
前記再封緘手段が、前記ひだ付き筒状体の前記他端部のほぼ全幅に亘り設けられていることを特徴とする請求項１に記載の再使用可能なひだ付き紙袋。
【請求項３】
前記再封緘手段が、離型紙で覆われた粘着剤層であることを特徴とする請求項１又は２に記載の再使用可能なひだ付き紙袋。
【請求項４】
前記再封緘手段の前記接着剤がホットメルト系接着剤であることを特徴とする請求項１又は２に記載の再使用可能なひだ付き紙袋。
【請求項５】
前記再封緘手段が、前記ひだ付き筒状体の前記他端部における閉鎖用フラップの表面に設けられていることを特徴とする請求項１〜４のいずれかに記載の再使用可能なひだ付き紙袋。
【請求項６】
前記再封緘手段が、前記ひだ付き筒状体の前記他端部における閉鎖用の前記フラップが折り曲げられて重ねられる前記ひだ付き筒状体の壁面に設けられていることを特徴とする請求項１〜４のいずれかに記載の再使用可能なひだ付き紙袋。
【請求項７】
前記ひだ付き筒状体が２層で形成されていることを特徴とする請求項１〜６のいずれかに記載の再使用可能なひだ付き紙袋。
【請求項８】
前記ひだ付き筒状体の前記両端部が階段切りで形成され、この両端部の階段面がそれぞれ前記フラップとなることを特徴とする請求項１〜７のいずれかに記載の再使用可能なひだ付き紙袋。
【発明の詳細な説明】
【０００１】
【発明の属する技術分野】
この発明は再使用可能な紙袋に関し、更に詳しくは一度使用した後に再度使用する時、内容物の充填口を簡単に且つ厳重に封緘できるようにした再使用可能な紙袋に関する。
【０００２】
【従来の技術】
従来、飼料、セメント、穀物、肥料或いは樹脂ペレット等（以下、「内容物」と称する）を入れて輸送するために使用されるクラフト紙からなる紙袋は、両端が階段切りで形成されたひだ付き筒状体を主たる構成要素とし、紙袋の口部となるひだ付き筒状体の一端部における階段面（以下、口部階段面という）に樹脂系のホットメルト接着剤を塗布し、ひだ付き筒状体の他端部を定法に従って封緘して底部閉鎖部として構成されているものが一般的であった。
【０００３】
上述したような従来の紙袋には、内容物を充填して口部を封緘し、これを輸送や保管等に用いた後に内容物を取り出す時、当該紙袋の開封を容易にするために種々の工夫をしたものも知られている。その一例としては前述した底部閉鎖部に独特の工夫がなされたものがある。
【０００４】
具体的には、底部閉鎖部の構造が、ひだ付き筒状体の他端部を複数回巻き込むように折り曲げ、この折曲げ部を跨ぐようにその全幅に亘る長さの開封テープ付き当て紙で包囲し、この当て紙の両端部をそれぞれひだ付き筒状体の各壁面に接着剤で接着して形成したものである。
【０００５】
このような紙袋によると、内容物を充填した後の開封の際には、この紙袋を倒立させ、内容物充填口であった一端部を下にすることにより底部閉鎖部を上にし、当て紙の内面に接着されている開封テープを端から引き上げて当て紙を引き破り、内部からひだ付き筒状体の折曲げ部である他端部を引き出し、これを折り戻して開封口とするものである。
【０００６】
【発明が解決しようとする課題】
近年、資源の節約化の観点から製品の繰り返し使用が求められており、この種の紙袋についても例外ではなくなってきている。しかしながら、従来の紙袋の構成では、少なくとも一部を再加工しなければ繰り返して使用することはできない。
【０００７】
すなわち、従来の紙袋では、内容物が充填された後には口部階段面を当該階段面に塗布されたホットメルト接着剤を再活性させた後に折り曲げてひだ付き筒状体の壁面に強固に接着しているため、この封緘口部を開けるには刃物で切り開くしかなく、もしそのようにして開封すれば、簡単に再封緘することはほとんど困難である。
【０００８】
また、前述した開封容易な紙袋の場合には、底部閉鎖部が端部を数回折り曲げ（巻き込み）、この折曲げ部を当て紙で包囲固定しているため、当て紙を引き破って巻き込んだ端部を元に戻して開封した後にこの開封部分を簡単に再封緘することも困難である。
【０００９】
その理由について簡単に説明すると、家庭で使用する簡易な紙袋等を再使用する場合、ほとんどの場合内容物の漏れや容積の縮小などを心配する必要がなく、従って一度使用した紙袋でも開封口を再封緘できるように鋏などを用いて再びフラップを形成する等の加工を簡単に行った上で、再び内容物を入れた後に当該フラップに糊を付けて封緘することができる。
【００１０】
しかし、飼料、セメント、穀物、肥料或いは樹脂ペレット等を入れて輸送や保管等の業務用の使用に供する紙袋を再使用する場合には、漏れなどの発生を生じないように厳重に再封緘する必要があると共に容積も縮小してはならない。そのためには、内容物充填現場で作業員が紙袋の開封口を再加工したりすることはできず、また糊の塗布も精密に行わなければ漏れの発生原因となる。
【００１１】
従って、この種の紙袋を再使用（２度使用）できるようにするには、予め製袋工場で周到な準備、即ち再使用ができるような設計がなされていないと無理なのである。しかし、従来の紙袋では、本来的に再使用用の思想がないためにそのような構成にはなっておらず、そのためほとんどの場合、焼却処分とされていた。
【００１２】
この発明の目的は、かかる従来の問題点を解決するためになされたもので、一度使用した紙袋を、漏れの発生がなく且つ内容積の変化を与えることなく簡単に再使用できるようにした再使用可能な紙袋を提供することにある。
【００１３】
【課題を解決するための手段】
この発明の再使用可能な紙袋は、両端部にそれぞれ閉鎖用のフラップが設けられたひだ付き筒状体の一端部を口部とし、他端部を将来の開封口となるように閉鎖して底部閉鎖部としたひだ付き紙袋において、前記底部閉鎖部を開いて内容物を取り出した後の前記ひだ付き紙袋の再使用時にその開封口を閉鎖するため、当該開封口となる前記ひだ付き筒状体の前記他端部に、接着剤を要素とする再封緘手段が予め設けられ、前記再封緘手段を設けた前記ひだ付き筒状体の前記他端部を少なくとも２回以上折り曲げ、この折曲げ部を開封用テープ付きの当て紙で包囲固定して前記底部閉鎖部を形成する際には、前記再封緘手段を構成する前記接着剤が非接着状態とされ、前記ひだ付き紙袋の再使用時には、前記開封口から内容物を充填した後に前記再封緘手段を構成する前記接着剤を接着可能な状態にし、前記開封口端部を折り曲げて前記ひだ付き筒状体の壁面に貼り付けて再封緘するひだ付き紙袋であり、前記再封緘手段を構成する前記接着剤とは別に、前記開封用テープ付きの当て紙を前記ひだ付き筒状体の壁面に接着する接着剤が設けられていることを特徴とする。
【００１４】
この発明の再使用可能な紙袋は、前記再封緘手段が、前記ひだ付き筒状体の前記他端部のほぼ全幅に亘り設けられていることを特徴とする。
【００１５】
この発明の再使用可能な紙袋は、前記再封緘手段が、離型紙で覆われた粘着剤層であることを特徴とする。
【００１６】
この発明の再使用可能な紙袋は、前記再封緘手段の前記接着剤がホットメルト系接着剤であることを特徴とする。
【００１７】
この発明の再使用可能な紙袋は、前記再封緘手段が、前記ひだ付き筒状体の前記他端部における閉鎖用フラップの表面に設けられていることを特徴とする。
【００１８】
この発明の再使用可能な紙袋は、前記再封緘手段が、前記ひだ付き筒状体の前記他端部における閉鎖用の前記フラップが折り曲げられて重ねられる前記ひだ付き筒状体の壁面に設けられていることを特徴とする。
【００１９】
このような再使用可能紙袋では、ひだ付き筒状体を２層で形成することが好ましい。勿論、ひだ付き筒状体を２層以上で形成してもよい。
【００２０】
この発明の再使用可能な紙袋は、前記ひだ付き筒状体の前記両端部が階段切りで形成され、この両端部の階段面がそれぞれ前記フラップとなることを特徴とする。
【００２１】
【発明の実施の形態】
以下、この発明の再使用可能な紙袋を図に示される実施形態について更に詳細に説明する。図１はこの発明の一実施形態に係る再使用可能な紙袋１０（以下、単に「紙袋」と称する）を偏平状態で概略的に示す平面図であり、図２は図１に示される紙袋１０を２−２線に沿って切断した時の構造を模式的に示す断面図である。
【００２２】
また、図３はこの実施形態に係る紙袋１０の基本構成要素である２層のひだ付き筒状体１１を偏平状態で示す平面図である。このひだ付き筒状体１１は、主にクラフト紙から形成され、図１及び図３に示されるように両端部が階段切りで形成され、両端部の階段面はまったく対称に形成されている。すなわち、ひだ付き筒状体１１における両端の階段切り構造はほぼ同一で、しかしその階段切り面の向きが相反している。
【００２３】
このような２層のひだ付き筒状体１１は、既によく知られているのでその詳細な説明は省略する。この実施形態に係る紙袋１０は、前述した２層のひだ付き筒状体１１を基本構成要素として、その一端部をこの紙袋１０の初回使用時における口部１２とし、他端部を閉塞して底部閉鎖部１３として構成されている。
【００２４】
この紙袋１０の口部１２は、ひだ付き筒状体１１の階段切り一端部における最も下側の端縁即ち最外層の端縁１４にほぼ沿った中央寄りに位置する仮想の横断線を折曲げ予定線１５とし、この折曲げ予定線１５よりも外側の階段切り端部全体を口部側のフラップ１６とする。
【００２５】
この折曲げ予定線１５により区画形成されたフラップ１６が、当該折曲げ予定線１５で折り曲げられて紙袋１０の壁面１７ａに重なる領域部分には、粘着剤層１８が設けられ、更にこの粘着剤層１８の表面には離型紙１９が貼り付けられている（この離型紙１９はフラップ１６が重ね合わされる際には剥がされる）。粘着剤層１８とその粘着面を一時的に保護する離型紙１９とは、市販されている所定幅の両面接着テープを壁面１７ａと同じ幅寸法の長さに切って貼り付けることによって設けることができる。
【００２６】
次に、この実施形態に係る紙袋１０における底部閉鎖部１３の構成について説明する。図２及び図３から明らかなように、ひだ付き筒状体１１の他端階段面に、具体的には偏平状態の時の階段面においてＶ字状に折り込まれたひだ部２７で一部が隠れている最内層壁表面（中央寄り側は、後述する折り曲げ線３１まで）に、再封緘手段として、図３及び図４に影線で示されるように粘着剤層２８を塗布しておき、この粘着剤層２８の粘着面を使用時まで離型紙２９で覆って非接着状態にしておくようにしてもよい。このような離型紙付きの粘着剤層としては、口部側のフラップ１６の接着でも使用した市販の両面接着テープを使用することができる。
また、前記離型紙付きの粘着剤層２８の代りに、再封緘手段としてホットメルト系接着剤３２を粘着剤層２８と同様の位置に塗布しておいてもよい。
【００２７】
このような離型紙付きの粘着剤層２８又はホットメルト系接着剤３２が、ひだ付き筒状体１１の最内層壁表面に配置固定された他端部の階段部は、先端側から巻き込むように少なくとも２度折り曲げて折曲げ部２３が形成される。
【００２８】
その後、この折曲げ部２３は、これを跨ぐようにその全幅に亘る長さの当て紙２４で包囲され、この当て紙２４の両端部はそれぞれひだ付き筒状体１１の各壁面１７ａ、１７ｂに接着剤２５で接着される。このようにして紙袋１０の底部閉鎖部１３は形成される。この底部閉鎖部１３を構成している当て紙２４における両端接着部間の内面には非常に薄い樹脂製の強靭な開封テープ２６がその幅方向に亘って貼り付けられている。
【００２９】
このように底部閉鎖部１３は、ひだ付き筒状体１１の他端部を２回若しくはそれ以上巻き込むように折り曲げて、この折曲げ部２１を当て紙２４で包囲固定しただけのものであり、折曲げ部２３は接着剤などで接着されてはいない。従って、開封テープ２６を端部から引き上げて当て紙２４に線状の切れ目を入れて広げ、当て紙２４の内部から折曲げ部２３を元の状態に折り戻しながら引き出せば、その端部を簡単に開封することができる。
【００３０】
次に、以上のように構成された本実施形態に係る紙袋１０の使用方法について説明する。今、図１に示される状態にある本実施形態に係る紙袋１０の一端部である口部１２を開いて当該紙袋１０の内部に内容物が所定量充填されたとする。その後、この紙袋１０の口部側壁面１７ａに設けられている粘着剤層１８の表面上に、これを覆っている離型紙１９を剥がした上で口部側のフラップ１６が折曲げ予定線１５で折り曲げられて折り重ねられ、接着される。
【００３１】
このようにして口部１２が厳重に封緘された紙袋１０は、輸送や保管など所定の目的に用いられる。次いで、この紙袋１０内に充填された内容物を取り出す場合には、既に説明したように底部閉鎖部１３を上にして当て紙２４が開封テープ２６を利用して引き破られ、当て紙２４の内部から折曲げ部２３が元の状態に折り戻されて開封口とされ、ここから内容物が取り出される。図４には内容物を取り出した後の紙袋１０が偏平状態で示されている。
【００３２】
底部閉鎖部１３を開き、その開封口から内容物を全部出し切った後、この紙袋１０を再使用する時には、この開封口をそのまま次の内容物を充填する口部として、この開封口から内容物を充填する。従って、１度目（最初）の使用時に口部１２とされ、内容物充填後に粘着剤層１８を利用して口部側のフラップ１６を壁面１７ａに貼り付けて封緘された口部閉鎖部が、２度目の使用ではそのまま底部閉鎖部となる。
【００３３】
底部閉鎖部１３を開いた開封口から内容物を充填した後は、粘着剤層２８の粘着面を覆っている離型紙２９を剥がした後に又はホットメルト系接着剤３２に熱を加えて接着可能な状態にした後に、最初に口部１２を封緘した時と同様に、底部閉鎖部１３を開封した後のひだ付き筒状体１１の他端部における最も下側の端縁３０に沿った中央寄り位置を通る横断線を折り曲げ線３１として当該階段面を折り曲げ、紙袋１０の対向する折り重ね壁面１７ｂに接着させる。
【００３４】
この場合、最初の使用時に厳重に封緘された口部閉鎖部をそのまま底部閉鎖部として使用しているため、口部及び底部のいずれの個所からも内容物の漏れを起こす恐れはない。更に、２度目の使用時におけるこの紙袋の内容物充填後の荷姿（紙袋の形）は１回目とほとんど同じであり、そのためパレット等に積みやすく、荷崩れの心配もなくトラックなどの通常搬送手段で容易に輸送することができる。
【００３５】
なお、この紙袋１０を２度目に使用する場合には、内容物の充填口となる底部閉鎖部１３の開封後に残っている当て紙２２の残片はひだ付き筒状体１１の壁面１７ａ、１７ｂを破かないようにその接着部から奇麗に剥がしておくことも好ましい。
【００３６】
更に、この実施形態に係る再使用可能な紙袋では、最初に内容物を充填する口部の封緘手段が、壁面１７ａに設けられた例えば両面接着テープからなる粘着剤層１８であったが、この口部封緘手段としては従来のように口部階段面にホットメルト系接着剤を塗布しておいてもよいことは言うまでもない。
【００３７】
更に又、図２及び図３から明らかなように、再封緘手段としてひだ付き筒状体１１の他端側の最内層壁表面に粘着剤層２８またはホットメルト系接着剤３２を塗布することができるほかに、図５に影線で示されるように、ひだ付き筒状体１１の他端部における閉鎖用のフラップが、折り曲げ線３１で折り曲げられて重ねられるひだ付き筒状体１１の壁面１７ｂに粘着剤層２８またはホットメルト系接着剤３２を塗布することもできる。
【００３８】
最後に、この発明に係る再使用可能な紙袋の実際的な使用態様を例を挙げて説明すると、例えば落花生の栽培農家が、自家消費用としてこの発明に係る再使用可能な紙袋に入った玄米を購入したとする。この農家は、この玄米を別な容器に移すか、若しくは全部消費した後に前述したような手順で開封口から商品としての自家製落花生を充填して出荷することができる。
【００３９】
または、製粉工場が原料の小麦を購入して使用し、空になったこの発明に係る再使用の紙袋に製粉した小麦粉を入れて出荷することができ、このような使用態様は大麦粉、そば粉等の場合もまったく同じである。
【００４０】
【発明の効果】
以上説明したように、この発明における再使用可能な紙袋によれば、一度使用した紙袋を、漏れの発生がなく且つ内容積の変化を与えることなく簡単に再使用することができ、極めて経済的な紙袋を提供することができる。
【図面の簡単な説明】
【図１】この発明の一実施形態に係る再使用可能な紙袋を偏平な状態で見た概略的な平面図である。
【図２】図１に示される実施形態に係る再使用可能な紙袋を２−２線に沿って切断してその断面構造を模式的に示す縦断面図である。
【図３】図１に示される実施形態に係る再使用可能な紙袋の基本構成要素であるひだ付き筒状体を偏平な状態で示す概略的な平面図である。
【図４】図１に示される再使用可能な紙袋を最初に使用した後に底部閉鎖部を開封し、２度目の使用でこの底部閉鎖部の開封口を内容物充填口とした再使用可能な状態となっているこの紙袋を偏平状態で示す平面図である。
【図５】図１に示される再使用可能な紙袋を最初に使用した後に底部閉鎖部を開封し、２度目の使用でこの底部閉鎖部の開封口を内容物充填口とした再使用可能な状態となっているこの紙袋を偏平状態で示す他の実施例の平面図である。
【符号の説明】
１０  再使用可能な紙袋
１１  ひだ付き筒状体
１２  最初の口部
１３  底部閉鎖部
１４  口部側の端部における最も下側の端縁
１５  折曲げ予定線
１６  口部側のフラップ
１７ａ  再使用可能な紙袋の一方の壁面
１７ｂ  再使用可能な紙袋の他方の壁面
１８  粘着剤層
１９  離型紙
２１  ひだ付き筒状体他端側の外層端部
２２  ひだ付き筒状体他端側の内層端部
２３  折曲げ部
２４  当て紙
２５  接着剤
２６  開封テープ
２７  ひだ部
２８  粘着剤層
２９  離型紙
３０  再充填口部側の端部における最も下側の端縁
３１  折り曲げ線
３２  ホットメルト系接着剤
【図１】
0004768118.tif 000002
【図２】
0004768118.tif 000003
【図３】
0004768118.tif 000004
【図４】
0004768118.tif 000005
【図５】
0004768118.tif 000006